(57)【要約】【課題】  使用開始時に使用者の気分を高揚し、娯楽性の高いディジタルカメラを提供する。【解決手段】  撮影対象の光学像を光電変換しディジタル画像として撮像するディジタルカメラにおいて、画像を表示する表示部と、前記表示部が表示する画像の画像データを記憶している画像記憶部と、前記ディジタルカメラの電源がオンされると、前記画像記憶部に記憶された前記画像データに基づき前記表示部に画像を切り替えて表示させる制御手段とを備える。【選択図】      図１
2005057561.tif 000002
【特許請求の範囲】
【請求項１】
撮影対象の光学像を光電変換しディジタル画像として撮像するディジタルカメラにおいて、
画像を表示する表示部と、
前記表示部が表示するディジタル画像のディジタル画像データを記憶している画像記憶部と、
前記ディジタルカメラの電源がオンされると、前記画像記憶部に記憶された前記ディジタル画像データに基づき前記表示部に画像を切り替えて表示させる制御手段と、
を備えることを特徴とするディジタルカメラ。
【請求項２】
前記画像記憶部は、前記ディジタルカメラに着脱可能に収容され、前記撮影対象の光学像を光電変換したディジタル画像のディジタル画像データを記憶していることを特徴とする請求項１記載のディジタルカメラ。
【請求項３】
前記画像記憶部は、前記ディジタルカメラに内蔵されており、既定のディジタル画像データを記憶していることを特徴とする請求項１記載のディジタルカメラ。
【請求項４】
前記画像記憶部は、撮影済みのディジタル画像と合成可能なディジタル画像を記憶していることを特徴とする請求項１記載のディジタルカメラ。
【請求項５】
音響部と、音データが記憶された音記憶部とをさらに備え、前記制御手段は、前記ディジタルカメラの電源がオンされると、前記音データに基づき前記音響部から音を再生させることを特徴とする請求項１から４のいずれか一項記載のディジタルカメラ。
【発明の詳細な説明】
【技術分野】
【０００１】
本発明は、撮影対象の光学像を光電変換しディジタル画像として撮像するディジタルカメラに関するものである。
【背景技術】
【０００２】
ディジタルカメラは、撮影対象の光学像をディジタル画像データとして記憶し、撮影した画像をＬＣＤ(Liquid Crystal Display)に表示することにより、不要な画像データを容易に消去できる。したがって、銀塩カメラに比べ撮影の失敗を気にすることなく、メモがわりに手軽に撮影をすることができる。
【発明の開示】
【発明が解決しようとする課題】
【０００３】
このように手軽に撮影できるディジタルカメラにおいては、使用開始時において使用者の気分を高揚し、娯楽性を高めることが望ましい。
本発明は、かかる問題に鑑みて創作されたものであって、使用開始時に使用者の気分を高揚し、娯楽性の高いディジタルカメラを提供することを目的とする。
【課題を解決するための手段】
【０００４】
上記課題を解決するため、本発明に係るディジタルカメラは、撮影対象の光学像を光電変換しディジタル画像として撮像するディジタルカメラにおいて、画像を表示する表示部と、前記表示部が表示する画像の画像データを記憶している画像記憶部と、前記ディジタルカメラの電源がオンされると、前記画像記憶部に記憶された前記画像データに基づき前記表示部に画像を切り替えて表示させる制御手段と、を備えることを特徴とする。ディジタルカメラの電源をオンし使用を開始するときに表示部に画像が切り替わって表示されるので、表示部を見た使用者の気分が高揚し、ディジタルカメラの娯楽性が高まる。
【０００５】
また本発明に係るディジタルカメラでは、前記画像記憶部は、前記ディジタルカメラに着脱可能に収容され、前記撮影対象の光学像を光電変換したディジタル画像のディジタル画像データを記憶していることを特徴とする。ディジタルカメラの使用開始時にすでに撮影した画像が切り替わって表示部に表示されるので、使用者は、撮影した画像の内容を確認できるとともに、撮影した時の状況、気分等を楽しく思い出しながらディジタルカメラの使用を開始できる。
【０００６】
また本発明に係るディジタルカメラでは、前記画像記憶部は、前記ディジタルカメラに内蔵されており、既定のディジタル画像データを記憶していることを特徴とする。例えば使用者では作成できないような娯楽性に富んだ画像データが画像記憶部に記憶されていれば、使用開始時に画像を切り替えて表示することにより、表示部を見た使用者の気分が高揚し、ディジタルカメラの娯楽性が高まる。
【０００７】
また本発明に係るディジタルカメラでは、前記画像記憶部は、撮影済みのディジタル画像と合成可能なディジタル画像を記憶していることを特徴とする。ディジタルカメラの使用開始時に撮影済みのディジタル画像と合成可能なディジタル画像（「撮影済みのディジタル画像と合成可能なディジタル画像」を既定画像という）の種類を予め確認できるので、撮影時に既定画像との組み合わせを考えて撮影をすることができる。
【０００８】
また本発明に係るディジタルカメラでは、音響部と、音データが記憶された音記憶部とをさらに備え、前記制御手段は、前記ディジタルカメラの電源がオンされると、前記音データに基づき前記音響部から音を再生させることを特徴とする。ディジタルカメラの電源をオンし使用を開始するときに音響部から音を再生するので、表示部に画像が切り替わって表示されることに加え、使用開始時に使用者の気分が高揚し、ディジタルカメラの娯楽性が高まる。
【発明を実施するための最良の形態】
【０００９】
以下、本発明の実施の形態を示す実施例を図に基づいて説明する。
図１は本発明の一実施例によるディジタルカメラ１０の背面図および平面図である。使用者は、表示部としてのＬＣＤ２０または光学ファインダー２２により撮影範囲を決定し、シャッターボタン２４を押すことにより撮影対象の光学像をディジタル画像としてディジタルカメラ１０で撮像する。
【００１０】
使用者は、ディジタルカメラの作動モードを切り替えるモード切替ダイヤル２６により、「ＬＣＤモード（ＳＨ２）」、「ビューファインダーモード（ＳＨ１）」、「ＯＦＦ」、「プレイバックモード（ＰＬＡＹ）」、「ダイレクトプリントモード（ＤＰ）」、「セットアップモード（Ｓｅｔｕｐ）」の６つのモード中からいずれか１つを選択する。制御部１２０（図２参照）は、選択されたモードに応じた制御プログラムを実行する。そして、使用者によるシャッターボタン２４の押下や入力キー３０、３２、３４の入力を検出し、それに対応した制御を行う。
【００１１】
「ビューファインダーモード」は、ディジタルカメラ１０の消費電力を節約するために、主に光学ファインダー２２を用いて撮影を行うモードである。「ＬＣＤモード」は、主にＬＣＤ２０をファインダーとして用いて撮影を行うモードである。「プレイバックモード」は、すでに撮影され、リムーバブルメモリ１３２（図２参照）に記憶された画像データに基づく画像をＬＣＤ２０に表示するモードである。「ダイレクトプリントモード」は、ディジタルカメラ１０を外部のプリンタに接続し、画像を印刷するためのモードである。「セットアップモード」は、ディジタルカメラ１０の撮影条件などの各種設定をＬＣＤ２０の表示にしたがって行うモードである。「セットアップモード」においてＬＣＤ２０の周囲に設置されている入力キー３０、３２、３４を操作することにより、例えば、日付および時刻の設定、露出または焦点のマニュアルまたはオートの選択、マニュアル時の露出または焦点の設定等を行うことができる。モード切替ダイヤル２６が「ＯＦＦ」の位置にセットされるとディジタルカメラ１０の電源はオフになり、「ＯＦＦ」以外の位置にセットされるとディジタルカメラ１０の電源はオンになる。
【００１２】
ディジタルカメラ１０の上部には、画質選択ボタン４２、ストロボ選択ボタン４４、モード選択ボタン４６が設けられている。画質選択ボタン４２を押すと、画像データの圧縮率や画素数を変更することにより、撮像画質が変更される。ストロボ選択ボタン４４を押すと、ストロボの発光モードを「自動で発光を制御」、「常に発光」、「常に発光しない」の中から選択できる。モード選択ボタン４６を押すと、「通常の撮影モード」、「近接撮影モード」、「拡大撮影モード」、「パノラマ撮影モード」などの切り替えができる。各選択ボタン４２、４４、４６により設定される内容は、セグメント式のＬＣＤ４０に表示される。
【００１３】
図２は、ディジタルカメラ１０の構造を説明するためのブロック図である。
光学系１００は、レンズ、絞り等で構成されており、イメージセンサ１０２の受光面に撮影対象の光学像を結像させる。
撮像部は、イメージセンサ１０２、センサコントローラ１０４、Ａ／Ｄ変換部（ＡＤＣ）１０６、ディジタル画像処理部１０８および制御部１２０を備える。
【００１４】
イメージセンサ１０２は、２次元空間に離散的に配置された受光セルとＣＣＤ（Charge Coupled Device）等の電荷転送素子とを備えたエリアイメージセンサである。イメージセンサ１０２は、センサコントローラ１０４によって駆動される。イメージセンサ１０２は、光学系１００により結像される光学像を光電変換して得られる電荷を受光セル毎に一定時間蓄積し、受光セル毎の受光量に応じた電気信号を出力する。受光面にＣ（Cyan）、Ｍ（Magenta）、Ｙ（Yellow）およびＧ（Green）の４色の補色フィルタ、またはＲ（Red）、Ｇ（Green）及びＢ（Blue）の原色フィルタを設けることによりカラー画像を形成することが可能になる。
【００１５】
Ａ／Ｄ変換部（ＡＤＣ）１０６は、イメージセンサ１０２から出力される電気信号を量子化してディジタル信号に変換する。具体的には例えば、ＡＤＣ１０６は、電気信号に含まれる雑音の低減処理、ゲインの調整による電気信号のレベル調整処理、量子化処理等を行う。
ディジタル画像処理部１０８は、ＡＤＣ１０６から出力されたディジタル信号に対し、画像形成処理、ホワイトバランス補正、γ補正、色空間変換等を施し、各画素についてＲ、Ｇ、Ｂの階調値や、Ｙ、Ｃｂ、Ｃｒの階調値などを表すディジタル画像を作成する。尚、ここでいう画像形成処理とは、受光セルから出力された一色分の輝度情報を近傍の受光セルの異なる色の輝度情報で補間することにより画素毎にＲ、Ｇ、Ｂ又はＹ、Ｃｂ、Ｃｒの３つの階調値を持つディジタル画像を作成する処理である。
【００１６】
制御部１２０は、制御手段としてのＣＰＵ１２２、フラッシュメモリ１２４、ワークメモリ１２６を備える。ＣＰＵ１２２は、フラッシュメモリ１２４に記憶されているコンピュータプログラムを実行することにより、シャッターボタン２４から撮像開始信号が出力されると各部を制御してディジタル画像を作成する。また、ＣＰＵ１２２はフラッシュメモリ１２４に記憶されているコンピュータプログラムを実行することでディジタルカメラ１０の全体の作動を制御する。フラッシュメモリ１２４は、各種のプログラムやデータを記憶するメモリである。フラッシュメモリ１２４に記憶される各種のプログラムやデータは、所定のサーバからネットワークを介してダウンロードされて記憶されてもよいし、コンピュータ読み取り可能な記憶媒体から読み出されて記憶されてもよい。ワークメモリ１２６は、プログラムやデータを一時的に記憶するためのメモリである。
【００１７】
圧縮・伸張部１１０は、作成されたディジタル画像を圧縮、または圧縮されたディジタル画像を伸張する。圧縮・伸張部１１０は、具体的には例えばデータの切り捨てを伴う非可逆圧縮であるＪＰＥＧ形式や、データの切り捨てを伴わない可逆圧縮であるＲａｗ形式などにより圧縮する。また、圧縮・伸張部１１０は圧縮を行わないＴＩＦＦ形式のディジタル画像に変換することも可能に構成されている。ＴＩＦＦ形式の場合の圧縮率は「圧縮なし」ということになる。
【００１８】
メモリコントローラ１３０は、画像記憶部としてのリムーバブルメモリ１３２を接続するためのカードスロット、メモリコントローラなどを備える。メモリコントローラ１３０は制御部１２０によって制御される。メモリコントローラ１３０が圧縮・伸張部１１０で圧縮されたディジタル画像データをリムーバブルメモリ１３２へ書き込むことにより、ディジタル画像データはリムーバブルメモリ１３２に記憶される。また、メモリコントローラ１３０は制御部１２０によって制御され、リムーバブルメモリ１３２に記憶されているディジタル画像データの読み込みも行う。リムーバブルメモリ１３２として、通電しなくても記憶内容を保持することのできる書換え可能な記憶媒体であるフラッシュメモリ等を用いることができる。リムーバブルメモリ１３２は、メモリコントローラ１３０のメモリスロットに着脱自在に装着されている。リムーバブルメモリ１３２としてフラッシュメモリ以外に、例えばＰＣＭＣＩＡ規格に準拠したメモリカード、またはＰＣＭＣＩＡカードアダプタに取付け可能なメモリカードを用いることにより、ＰＣＭＣＩＡカード用スロットを有するパーソナルコンピュータでリムーバブルメモリ１３２の内容を直接読み書きすることができる。
【００１９】
電源部１３４は、電池１３６および制御回路などを備え、各部に電気的に接続されている。電池１３６は各部に電力を供給する。
ディスプレイコントローラ１４０は、ＬＣＤ２０の一画面分のデータを格納するためのフレームバッファと、フレームバッファに格納されたデータに基づいてＬＣＤ２０を駆動するための表示回路とを備える。
【００２０】
音記憶部としての音メモリ１４２は、音響部１４４で再生する音データを記憶している。音メモリ１４２は、ディジタルカメラ１０が内蔵しているＲＯＭまたはＥＥＰＲＯＭ、ディジタルカメラ１０から着脱可能なフラッシュメモリ等のいずれでもよい。音メモリ１４２がＥＥＰＲＯＭまたはフラッシュメモリであれば、所定のサーバからネットワークを介して音データをダウンロードしたり、コンピュータ読み取り可能な記憶媒体から音データを読み出して、音メモリ１４２に記憶された音データを書き換えることができる。音メモリ１４２に記憶される音データは圧縮、非圧縮のいずれのデータ形式でもよい。
【００２１】
次に、使用開始時のディジタルカメラ１０の作動を説明する。
撮影を開始するためにモード切替ダイヤル２６を「ＯＦＦ」から「ＯＦＦ」以外の位置にセットすると、ディジタルカメラ１０の電源がオンされる。ＣＰＵ１２２は、モード切替ダイヤル２６が「ＯＦＦ」から「ＯＦＦ」以外の位置にセットされたことを検出すると、図３に示すように、リムーバブルメモリ１３２に記憶されている撮影済みの画像を、撮影した順番、または逆順に一定の時間間隔で所定時間ＬＣＤ２０に表示する。使用開始時にリムーバブルメモリ１３２からＬＣＤ２０に表示する画像は、ディジタルカメラ１０で撮影した静止画でもよいし動画でもよい。ディジタルカメラ１０の使用開始時にリムーバブルメモリ１３２の画像を表示するとともに、音メモリ１４２に記憶されている音データを画像の表示時間に合わせて音響部１４４で再生する。
所定時間が経過すると、ＣＰＵ１２２はモード切替ダイヤル２６でセットされたモードの処理に移行する。所定時間が経過する間は、ディジタルカメラ１０の操作は受け付けられない。
【００２２】
以上説明した上記実施例によれば、ディジタルカメラ１０の電源をオンしディジタルカメラ１０の使用を開始するときに、ＬＣＤ２０に撮影済みの画像が切り替わって表示され、音響部１４４から音データが再生される。これにより、使用開始時の使用者の気分が高揚し、撮影の手軽さから娯楽性に富んでいたディジタルカメラ１０の娯楽性がさらに高まる。
【００２３】
（他の実施例）
上記実施例では、ディジタルカメラ１０の使用開始時にリムーバブルメモリ１３２に記憶された撮影済みの画像をＬＣＤ２０に表示したが、ディジタルカメラ１０に内蔵した専用の画像メモリにＬＣＤ２０に表示する画像データを記憶させてもよい。この画像表示専用の内蔵画像メモリは、書き換え不可でも、書き換え可能のいずれでもよい。
【００２４】
内蔵画像メモリには、リムーバブルメモリ１３２に記憶された撮影済みの画像に合成可能な既定画像を記憶してもよい。ディジタルカメラ１０の使用開始時に既定画像だけを表示することにより、撮影済みの画像に合成可能な既定画像を確認できる。また、この既定画像と撮影済みの画像とを合成してＬＣＤ２０に表示してもよい。既定画像は、所定のサーバからネットワークを介してダウンロードして内蔵画像メモリに記憶されてもよいし、コンピュータ読み取り可能な記憶媒体から読み出されて内蔵画像メモリに記憶されてもよい。また、内蔵画像メモリではなく撮影済みの画像を記憶するリムーバブルメモリ１３２に予め既定画像を記憶しておき、必要に応じてリムーバブルメモリ１３２から読み出してもよい。
また、ディジタルカメラ１０の使用開始時に音響部１４４で再生する音データは、撮影時に画像と一緒にリムーバブルメモリ１３２に記憶されたものでもよい。
【００２５】
上記実施例では、ディジタルカメラ１０の電源をオンしてから所定時間が経過するまではディジタルカメラ１０の操作を受け付けなかった。これに対し、ディジタルカメラ１０の電源をオンしてから所定時間が経過する前に各キーやボタンを操作すると、リムーバブルメモリ１３２に記憶された画像データのＬＣＤ２０への表示、ならびに音メモリ１４２に記憶された音データの音響部１４４からの再生を停止し、ディジタルカメラ１０の操作を受け付けてもよい。また、ＬＣＤ２０への表示、ならびに音メモリ１４２に記憶された音データの音響部１４４からの再生を停止するスイッチを設けてもよい。
【図面の簡単な説明】
【００２６】
【図１】（Ａ）は本発明の一実施例によるディジタルカメラを示す背面図、（Ｂ）は（Ａ）のＢ方向矢視図。
【図２】本発明の一実施例によるディジタルカメラを示すブロック図。
【図３】電源オン時のＬＣＤの表示を示す説明図。
【符号の説明】
【００２７】
１０  ディジタルカメラ、２０  ＬＣＤ（表示部）、１３２  リムーバブルメモリ（画像記憶部）、１２２  ＣＰＵ（制御手段）、１４２  音メモリ（音記憶部）、１４４  音響部
【図１】
2005057561.tif 000003
【図２】
2005057561.tif 000004
【図３】
2005057561.tif 000005